(57)【要約】    【課題】  本発明は、鮮明で光沢性のある色彩が付与され、必要なときに光反射による発光をする発光機能を備えたコンクリートボードを提供することにある。    【解決手段】  本発明に係る装飾コンクリートボードＡは、内方に凹部１１を有する基板１０と、前記基板１０上の凹部１１に取着される反射板２０と、前記反射板２０上に取着されるステンドグラス体３０と、前記ステンドグラス体３０を被覆する透明樹脂膜層４０とを備えたものである。【選択図】        図２
2005090057.tif 000002
【特許請求の範囲】
【請求項１】
内方に凹部を有する基板と、
前記基板上の凹部に取着される反射板と、
前記反射板上に取着されるステンドグラス体と、
を備えてなることを特徴とする装飾コンクリートボード。
【請求項２】
ステンドグラス体を被覆する透明樹脂膜層を備えてなることを特徴とする請求項１に記載の装飾コンクリートボード。
【請求項３】
基板に対して、ステンドグラス体を着脱自在に取着したことを特徴とする請求項１又は２に記載の装飾コンクリートボード。
【発明の詳細な説明】
【技術分野】
【０００１】
本発明は、擁壁、塀、安全柵などに使用される土木用又は建築用のコンクリートボードに関する。
【背景技術】
【０００２】
従来より出願人は、装飾性を付与した土木用又は建築用のコンクリートボードとして、図４に示すように、その表面内方に凹部を形成し、該凹部に模様をかたどった枠片を貼着し、該枠片の周囲に粒石を接着したものを使用している。
【発明の開示】
【発明が解決しようとする課題】
【０００３】
しかしながら、上記従来のコンクリートボードは、色彩面で装飾性が劣るものであった。すなわち、コンクリートボードに種々のカラー塗料を塗布しても、下地がコンクリートや粒石であるために鮮明さや光沢性に欠けるものであり、また、発光機能がないので、暗闇ではその装飾効果が全く発揮でないという欠点があった。この発光機能を得るために蓄光性塗料を表面に塗布することが考えられるが、このようなコンクリートボードは屋外で使用するため、蓄光性塗料が剥がれ落ちたりして発光機能が劣化したりするので、定期的に塗装し直さなければならない面倒なメンテナンス作業を伴うものである。また、発光機能を得るために電球や発光ダイオードを埋め込むことが考えられるが、やはり発光機能を維持するためにメンテナンス作業を伴うものであり、いたずらに対する対策も考慮する必要がある。ところで、このようなコンクリートボードは、擁壁、塀、安全柵などに使用されるものであり、その存在を認識する必要のない場合には、暗闇の中で常に発光し続ける必要はなく、例えば自動車が近づいてきたときにそのヘッドライトの光を反射して発光するようになっていればコンクリートボードの装飾効果は達成される。
【０００４】
そこで、本発明者は、鋭意研究を重ね、鮮明で光沢性のある色彩が付与され、必要なときに発光する発光機能を備えたコンクリートボードを開発した。
【課題を解決するための手段】
【０００５】
本発明に係る装飾コンクリートボードは、内方に凹部を有する基板と、前記基板上の凹部に取着される反射板と、前記反射板上に取着されるステンドグラス体とを備えてなることを特徴とするものである。
【０００６】
上記のように構成すると、コンクリートボードに取着されたステンドグラス体により鮮明で光沢のある色彩が付与され、また、反射板がステンドグラス体の裏面に位置するため、光がステンドグラス体を透過して反射板により反射されるので、暗闇で光を当てると、光の反射による発光機能が発揮される。
【０００７】
また、本発明に係る装飾コンクリートボードとして、上記の構成に加え、ステンドグラス体を被覆する透明樹脂膜層を備えた場合には、外部からの衝撃を緩和させると共にステンドグラスが破損するようなことがあっても周囲にガラス片が飛散するのを防止することができる。
【０００８】
さらに、本発明に係る装飾コンクリートボードとして、上記の構成に加え、基板に対して、ステンドグラス体を着脱自在に取着した構成としてもよい。
【０００９】
このように構成すると、ステンドグラス体を取り替える必要が生じた場合に、容易に取り替えることができるので便利である。
【発明の効果】
【００１０】
本発明に係る装飾コンクリートボードは、ステンドグラス体をその表面に取着しているので、鮮明で光沢性のある色彩が付与され、装飾性の豊かなものとなる。また、ステンドグラス体の裏面に位置する反射体は、暗闇でも自動車のヘッドライト等の光が当たると、反射して発光するので、イルミネーション的な効果を果たす。また、ステンドグラス体に案内標識や注意標識を表示すれば、通行者に便利であり、広告を表示すれば、宣伝効果の高いものとなる。さらに、透明樹脂膜層は、ステンドグラス体に対する外部からの衝撃を緩和させ、たとえステンドグラス体が破損してもガラス片等の飛散を防止できる。しかも、ステンドグラス体を着脱自在にすれば、破損した場合の取替えはもとより、前記の表示を適宜取り替えることができるので便利である。
【発明を実施するための最良の形態】
【００１１】
［実施例１］
以下に本発明の好適な実施例を図に基いて詳細に説明する。図１は本実施例に係る装飾コンクリートボードＡの斜視図であり、図２は本実施例に係る装飾コンクリートボードＡの分解斜視図であり、図３は本実施例に係るコンクリートボードＡの断面図である。
【００１２】
図１〜図３において、装飾コンクリートボードＡは、基板１０と、反射板２０と、ステンドグラス体３０と、透明樹脂膜層４０とから構成される。
【００１３】
基板１０は、その内方に凹部１１が形成されており、その周囲には隣接するコンクリートボートとの接合部分に係合溝１２が形成されている。
【００１４】
前記凹部１１には、反射板２０が取着されており、該反射板２０は、本実施例では、フラットな鏡面をもつ通常の反射板を使用するが、ダイヤカット、プリズムカットなどと呼ばれる多数の凹凸を設けた再帰反射性のものを使用するのが標識などにおける表示効果の点で望ましい。
【００１５】
前記反射板２０上にステンドグラス体３０が取着されており、該ステンドグラス体３０は、周囲フレーム３１に適当な仕切枠３２を設け、この仕切枠３２で囲まれる領域にガラス又は透明プラスチック等からなる着色された透明体３３をはめ込んで構成される。なお、前記仕切枠３２により花や動物などの図柄を構成し、前記透明体３３をはめ込めば装飾効果が増大する。また、前記仕切枠３２により文字を構成し、前記透明体３３をはめ込めば、案内標識や注意標識として利用できる。なお、ステンドグラス体３０は、基板１０に反射板２０を取着する前に反射板２０にステンドグラス体３０を取着しておいてもよく、また、基板１０に反射板２０を取着した後にステンドグラス体３０を反射板２０に取着するようにしてもよい。
【００１６】
前記ステンドグラス体３０には、アクリル樹脂などからなる透明樹脂膜層４０が貼着又は塗布により設けられており、ステンドグラス体３０の保護がなされる。すなわち、上記のように構成された装飾コンクリートボードＡに対して、外部からの衝撃が加えられた場合に、透明樹脂膜層４０によりステンドグラス体３０が破損するのを防御でき、また、万一破損した場合でも、透明樹脂膜層４０によりステンドグラス体３０の破片が飛散するのを防止できる利点がある。なお、透明樹脂膜層４０は、ステンドグラス体３０を反射板２０に取着する前に設けておいてもよく、また、ステンドグラス体３０を反射板２０に取着した後に透明樹脂膜層４０を設けてもよい。なお、この透明樹脂膜層４０は、必ずしも設ける必要はない。
【００１７】
［実施例２］
実施例２に示す装飾コンクリートボードＢは、基板１１０にに対して、反射板１２０と、透明樹脂膜層１４０を設けたステンドグラス体１３０とを着脱自在に構成したものである。
【００１８】
図４は、は本実施例に係る装飾コンクリートボードＢの斜視図であり、図５は本実施例に係る装飾コンクリートボードＢの分解斜視図であり、図６は本実施例に係るコンクリートボードＢの断面図である。
【００１９】
図４〜図６において、装飾コンクリートボードＢは、基板１１０と、反射板１２０と、ステンドグラス体１３０と、透明樹脂膜層１４０とから構成される。
【００２０】
基板１１０は、その内方に凹部１１１が形成されており、その周囲には隣接するコンクリートボートとの接合部分に係合溝１１２が形成されている。前記凹部１１には、その四隅にアンカーボルト１１３が埋め込まれている。
【００２１】
反射板１２０は、前記した基板１１０に埋め込まれたアンカーボルト１１３に合致するように貫通孔１２１が形成されており、基板１１０の凹部１１１にはめ込んで取着できるようになっている。該反射板１２０は、本実施例では、フラットな鏡面をもつ通常の反射板を使用するが、ダイヤカット、プリズムカットなどと呼ばれる多数の凹凸を設けた再帰反射性のものを使用するのが標識などにおける表示効果の点で望ましい。
【００２２】
ステンドグラス体１３０は、前記した基板１１０に埋め込まれたアンカーボルト１１３に合致するように貫通孔１３５が形成されており、前記反射板２０を基板１１０に取着した後に、反射板１２０上に重ねて取着できるようになっている。該ステンドグラス体１３０は、周囲フレーム１３１に適当な仕切枠１３２を設け、この仕切枠１３２で囲まれる領域にガラス又は透明プラスチック等からなる着色された透明体１３３をはめ込んで構成される。なお、前記仕切枠１３２により花や動物などの図柄を構成し、前記透明体１３３をはめ込めば装飾効果が増大する。また、前記仕切枠１３２により文字を構成し、前記透明体１３３をはめ込めば、案内標識や注意標識として利用できる。なお、ステンドグラス体１３０は、基板１１０に反射板１２０を取着する前に反射板１２０にステンドグラス体１３０を取着しておいてもよい。
【００２３】
前記ステンドグラス体１３０には、アクリル樹脂などからなる透明樹脂膜層１４０が、予め貼着又は塗布により設けられており、ステンドグラス体１３０の保護がなされている。すなわち、上記のように構成された装飾コンクリートボードＢに対して、外部からの衝撃が加えられた場合に、透明樹脂膜層１４０によりステンドグラス体１３０が破損するのを防御でき、また、万一破損した場合でも、透明樹脂膜層１４０によりステンドグラス体１３０の破片が飛散するのを防止できる利点がある。なお、この透明樹脂膜層１４０は、必ずしも設ける必要はない。
【００２４】
本実施例に係る装飾コンクリートボードＢは、まず、基板１１０の凹部１１１に埋め込まれたアンカーボルト１１３に反射体１２０の貫通孔１２１を通すようにして、基板１１０の凹部１１１に反射体１２０を取着する。次に、基板１１０の凹部１１１に埋め込まれたアンカーボルト１１３にステンドグラス体１３０の貫通孔１３５を通すようにして、基板１１０の凹部１１１に取着した反射板１２０上に透明樹脂層１４０を設けたステンドグラス体１３０を取着し、各アンカーボルト１１３にナット１１４を螺合して固定すると、組立が完了する。また、逆の操作により、すなわち、ナット１１４をアンカーボルト１１３から外し、装飾コンクリートボードＢからステンドグラス体１３０及び反射体１２０を取り外せば分解ができる。
【００２５】
したがって、本実施例に係る装飾コンクリートＢは上記のように組立及び分解が容易であるため、破損した場合の取替え、または、表示内容の変更等の必要に応じてステンドグラス体１３０を取り替えることができるので便利である。
【００２６】
なお、上記の実施例は、これに限定されるものではなく、特許請求の範囲に記載した広範囲な実施形態を包含するものである。
【産業上の利用可能性】
【００２７】
本発明に係る装飾コンクリートボードは、擁壁、塀、安全柵などに使用される土木用又は建築用のコンクリートボードであり、イルミネーション的な効果を果たすと共に、案内標識や注意標識等にも利用でき、しかも、広告表示にも利用できる。
【図面の簡単な説明】
【００２８】
【図１】実施例１に係る装飾コンクリートボードの斜視図である。
【図２】実施例１に係る装飾コンクリートボードの分解斜視図である。
【図３】実施例１に係る装飾コンクリートボードの断面図である。
【図４】実施例２に係る装飾コンクリートボードの斜視図である。
【図５】実施例２に係る装飾コンクリートボードの分解斜視図である。
【図６】実施例２に係る装飾コンクリートボードの断面図である。
【符号の説明】
【００２９】
Ａ・・・・装飾コンクリートボード
１０・・・基板
１１・・・凹部
１２・・・係合溝
２０・・・反射板
３０・・・ステンドグラス体
３１・・・周囲フレーム
３２・・・仕切枠
３３・・・透明体
４０・・・透明樹脂膜層
Ｂ・・・・装飾コンクリートボード
１１０・・基板
１１１・・凹部
１１２・・係合溝
１１３・・アンカーボルト
１１４・・ナット
１２０・・反射板
１２１・・貫通孔
１３０・・ステンドグラス体
１３１・・周囲フレーム
１３２・・仕切枠
１３３・・透明体
１３５・・貫通孔
１４０・・透明樹脂膜層
【図１】
2005090057.tif 000003
【図２】
2005090057.tif 000004
【図３】
2005090057.tif 000005
【図４】
2005090057.tif 000006
【図５】
2005090057.tif 000007
【図６】
2005090057.tif 000008